(57)【要約】【課題】プリントサービスなどで顧客が所望の時間に受け取ることができるようにする。【解決手段】例えば印刷装置の場合、画像プリントの注文を行う際の操作入力により、顧客が直ぐに写真画像の受け取りを希望するか、後の時点の受け取りを希望するかを選択できるようにする（Ｆ１０４）。後の時点での受け取りを希望した場合は、その注文の内容としての印刷処理情報を印刷待ちリストに登録する（Ｆ１０８）。印刷待ちリストに登録された印刷処理情報に基づく印刷は、その後、日時に応じて自動的に行われたり、店員等の操作によって行われる。【選択図】図３
2007241815.tif 000002
【特許請求の範囲】
【請求項１】
画像データを取得する画像取得部と、
画像データを用いた製品を生成する製品生成部と、
画像データを用いた上記製品の生成のための設定操作、及び上記製品についての即時受け取りと、後の時点での受け取りとを選択する受け取り方式指定操作を行うことのできる操作入力部と、
上記画像取得部で画像データを取得した際に、上記操作入力部による受け取り方式指定操作により即時受け取りが指定された場合は、取得した画像データについての上記製品生成部での製品生成を実行させ、一方、上記操作入力部による受け取り方式指定操作により後の時点での受け取りが指定された場合は、取得した画像データについての製品生成処理情報を生成待ちリストに登録する処理を行う制御部と、
を備えたことを特徴とする製品生成装置。
【請求項２】
上記製品生成部は、画像データの印刷を行う印刷部であり、画像データを用いた製品として印刷画像の生成を行うことを特徴とする請求項１に記載の製品生成装置。
【請求項３】
入金処理部を更に備え、
上記制御部は、上記入金処理部による対価入金が確認されることに応じて、取得した画像データについての上記製品生成部での製品生成の実行制御、もしくは取得した画像データについての製品生成処理情報の生成待ちリストへの登録処理を実行することを特徴とする請求項１に記載の製品生成装置。
【請求項４】
上記操作入力部は、さらに処理開始の操作入力を行うことができるようにされ、
上記制御部は、上記操作入力部による処理開始の操作入力が確認されることに応じて、取得した画像データについての上記製品生成部での製品生成の実行制御、もしくは取得した画像データについての製品生成処理情報の生成待ちリストへの登録処理を実行することを特徴とする請求項１に記載の製品生成装置。
【請求項５】
上記制御部は、上記操作入力部を用いた操作が行われていないときに、上記生成待ちリストに登録されている上記製品生成処理情報に基づく製品生成を、上記製品生成部に実行させることを特徴とする請求項１に記載の製品生成装置。
【請求項６】
上記操作入力部では、上記受け取り方式指定操作で後の時点で受け取りを行う指定を行う際に、日時を指定する操作が可能とされ、
上記制御部は、上記操作入力部による受け取り方式指定操作により後の時点での受け取りが指定された場合は、指定された日時の情報を含む製品生成処理情報を生成待ちリストに登録し、
さらに上記制御部は、上記生成待ちリストに登録されている上記製品生成処理情報について、日時情報と現在の日時の比較結果に基づいて、上記製品生成処理情報に基づく製品生成を、上記製品生成部に実行させることを特徴とする請求項１に記載の製品生成装置。
【請求項７】
表示部を更に備え、
上記制御部は、上記操作入力部でリスト表示を求める操作が行われることに応じて、上記生成待ちリストに登録されている上記製品生成処理情報を上記表示部に表示させるとともに、表示させた製品生成処理情報のうちで、上記操作入力部での選択操作により選択された製品生成処理情報に基づく製品生成を、上記製品生成部に実行させることを特徴とする請求項１に記載の製品生成装置。
【請求項８】
画像データを取得する画像取得部と、
画像データを用いた製品を生成する製品生成部と、
画像データを用いた上記製品の生成のための設定操作、及び上記製品についての即時受け取りと、後の時点での受け取りとを選択する受け取り方式指定操作を行うことのできる操作入力部とを備えた製品生成装置の製品生成方法として、
上記画像取得部により画像データを取得するステップと、
上記操作入力部による上記受け取り方式指定操作を受け付けるステップと、
上記操作入力部による受け取り方式指定操作により即時受け取りが指定された場合に、取得した画像データについての上記製品生成部での製品生成を実行させるステップと、
上記操作入力部による受け取り方式指定操作により後の時点での受け取りが指定された場合に、取得した画像データについての製品生成処理情報を生成待ちリストに登録する処理を行うステップと、
を備えたことを特徴とする製品生成方法。
【請求項９】
画像データを取得する画像取得部と、
画像データを用いた製品を生成する製品生成部と、
画像データを用いた上記製品の生成のための設定操作、及び上記製品についての即時受け取りと、後の時点での受け取りとを選択する受け取り方式指定操作を行うことのできる操作入力部とを備えた製品生成装置の動作制御を行うプログラムとして、
上記画像取得部により画像データを取得するステップと、
上記操作入力部による上記受け取り方式指定操作を受け付けるステップと、
上記操作入力部による受け取り方式指定操作により即時受け取りが指定された場合に、取得した画像データについての上記製品生成部での製品生成を実行させるステップと、
上記操作入力部による受け取り方式指定操作により後の時点での受け取りが指定された場合に、取得した画像データについての製品生成処理情報を生成待ちリストに登録する処理を行うステップと、
を製品生成装置に実行させるプログラム。
【発明の詳細な説明】
【技術分野】
【０００１】
本発明は画像データを用いた製品生成装置、製品生成方法、及びプログラムに関し、例えば画像データを印刷した写真画像を製品として生成する印刷サービスなどでの使用に好適なものである。
【背景技術】
【０００２】
【特許文献１】特開２００１−１０９５９２号公報
【特許文献２】特開２００２−３５９７０９号公報
【０００３】
例えばセルフサービス型のプリント装置（キオスク端末と呼ばれる事もある）として、写真サービス店やコンビニエンスストアなどの店舗等に設置され、使用者（顧客）自身が操作して、デジタルスチルカメラで撮像した画像等をプリントできるようにしたものが知られている。
具体的には、顧客は撮像した画像データを記録した記録メディアを店頭に持ち込み、プリント装置に装填する。記録メディアとしては、例えばメモリースティック（MEMORY STICKはソニー株式会社の登録商標）等として知られているメモリカードを用いることができる。
プリント装置には、メモリカードのスロットが設けられており、顧客がメモリカードをスロットに装填すると、プリント装置はそのメモリカードに記憶されている画像データを読み込んで、表示させる。顧客は、表示された画像から印刷する画像を選択したり、枚数やサイズ等を設定する操作を行う。プリント装置はこのような顧客の操作に応じて注文を受け付け、指定された印刷を行う。顧客は印刷された写真をその場で受け取ることができる。
【発明の開示】
【発明が解決しようとする課題】
【０００４】
ところで、近年のデジタルスチルカメラの普及によって、多数の人が多数の画像撮像を行うようになり、店頭で上記のようなプリント装置が使用される機会も増えている。このためプリント装置の利用頻度もあがり、あわせて一人当たりのプリント枚数も増加傾向にある。
しかしながら、店頭のプリント装置では、顧客は注文したプリントが終了するまでその場で待っていなければならない。注文枚数の多い顧客の場合、プリント終了までの待ち時間が非常に長くなる。
【０００５】
このプリント装置のように、例えば店頭などで顧客が使用して、プリント画像などの製品を生成させ、それを受け取る装置では、顧客は製品生成の完了まで待たなければならず、場合によっては待ち時間が長くなってしまう。
そこで本発明では例えば店頭設置型の製品生成装置などにおいて、顧客が例えばプリント終了までなどの製品生成完了までの時間を、その場で待つことを必要としないようにすることを目的とする。
【課題を解決するための手段】
【０００６】
本発明の製品生成装置は、画像データを取得する画像取得部と、画像データを用いた製品を生成する製品生成部と、画像データを用いた上記製品の生成のための設定操作、及び上記製品についての即時受け取りと、後の時点での受け取りとを選択する受け取り方式指定操作を行うことのできる操作入力部と、上記画像取得部で画像データを取得した際に、上記操作入力部による受け取り方式指定操作により即時受け取りが指定された場合は、取得した画像データについての上記製品生成部での製品生成を実行させ、一方、上記操作入力部による受け取り方式指定操作により後の時点での受け取りが指定された場合は、取得した画像データについての製品生成処理情報を生成待ちリストに登録する処理を行う制御部とを備える。
例えば上記製品生成部は、画像データの印刷を行う印刷部であり、画像データを用いた製品として印刷画像の生成を行う。
また入金処理部を更に備え、上記制御部は、上記入金処理部による対価入金が確認されることに応じて、取得した画像データについての上記製品生成部での製品生成の実行制御、もしくは取得した画像データについての製品生成処理情報の生成待ちリストへの登録処理を実行する。
又は、上記操作入力部は、さらに処理開始の操作入力を行うことができるようにされ、上記制御部は、上記操作入力部による処理開始の操作入力が確認されることに応じて、取得した画像データについての上記製品生成部での製品生成の実行制御、もしくは取得した画像データについての製品生成処理情報の生成待ちリストへの登録処理を実行する。
また、上記制御部は、上記操作入力部を用いた操作が行われていないときに、上記生成待ちリストに登録されている上記製品生成処理情報に基づく製品生成を、上記製品生成部に実行させる。
また、上記操作入力部では、上記受け取り方式指定操作で後の時点で受け取りを行う指定を行う際に、日時を指定する操作が可能とされ、上記制御部は、上記操作入力部による受け取り方式指定操作により後の時点での受け取りが指定された場合は、指定された日時の情報を含む製品生成処理情報を生成待ちリストに登録し、さらに上記制御部は、上記生成待ちリストに登録されている上記製品生成処理情報について、日時情報と現在の日時の比較結果に基づいて、上記製品生成処理情報に基づく製品生成を、上記製品生成部に実行させる。
また、表示部を更に備え、上記制御部は、上記操作入力部でリスト表示を求める操作が行われることに応じて、上記生成待ちリストに登録されている上記製品生成処理情報を上記表示部に表示させるとともに、表示させた製品生成処理情報のうちで、上記操作入力部での選択操作により選択された製品生成処理情報に基づく製品生成を、上記製品生成部に実行させる。
【０００７】
本発明の製品生成方法は、画像データを取得する画像取得部と、画像データを用いた製品を生成する製品生成部と、画像データを用いた上記製品の生成のための設定操作、及び上記製品についての即時受け取りと、後の時点での受け取りとを選択する受け取り方式指定操作を行うことのできる操作入力部とを備えた製品生成装置の製品生成方法であり、上記画像取得部により画像データを取得するステップと、上記操作入力部による上記受け取り方式指定操作を受け付けるステップと、上記操作入力部による受け取り方式指定操作により即時受け取りが指定された場合に、取得した画像データについての上記製品生成部での製品生成を実行させるステップと、上記操作入力部による受け取り方式指定操作により後の時点での受け取りが指定された場合に、取得した画像データについての製品生成処理情報を生成待ちリストに登録する処理を行うステップとを備える。
本発明のプログラムは、製品生成装置に上記製品生成方法を実行させるプログラムである。
【０００８】
このような本発明では、制御部は、顧客が店頭で製品生成装置に製品生成の注文を行う際の操作入力により、直ぐに製品の受け取りを求めているか否かを判断し、顧客が即時の受け取りを要求しない場合は、その注文の内容としての製品生成処理情報を生成待ちリストに登録する。生成待ちリストに登録された製品生成処理情報に基づく製品生成は、その後、日時に応じて自動的に行われたり、店員等の操作によって行われることになる。例えば印刷装置を想定すると、画像プリントの注文を行う際の操作入力により、直ぐに写真画像の受け取りを希望するか、後の時点の受け取りを希望するかを顧客が選択できる。そして顧客が後の時点の受け取りを希望する場合は、その注文の内容としての印刷処理情報を印刷待ちリストに登録する。印刷待ちリストに登録された印刷処理情報に基づく印刷は、その後、日時に応じて自動的に行われたり、店員等の操作によって行われることになる。
なお、このような本発明の製品生成装置は、顧客が装置に対して画像データの提供や設定を行った後、その画像データを用いた製品（商品）を生成する装置であり、例えば画像データをＣＤ（Compact Disc）方式やＤＶＤ（Digital Versatile Disc）方式の光ディスクに記録して、その光ディスクを顧客に提供する装置なども含まれる。
【発明の効果】
【０００９】
本発明によれば、顧客は店頭などで製品生成装置に対して製品生成の注文を行う際に、例えば写真画像などの製品を、待っても良いからその場で受け取りたいか、後の時点で受け取るかを選択できることになる。従って製品生成の完了まで待ちたくない人は、後の時点での受け取りを指定すればよく、その場で長時間待つ必要はなくなる。つまり待つことを嫌う人をその場で待たせない装置とすることができる。例えば店頭の印刷装置で大量の枚数の写真印刷を注文する人は、後の時点で写真を受け取るように指定しておけば、その場で印刷終了まで長時間待つ必要はなくなる。
また製品生成装置を設置している店舗にとっても、製品生成（印刷等）を閑散時間にシフトさせて実行させることもできるため、装置を効率的に稼働させることができる。
【発明を実施するための最良の形態】
【００１０】
以下、本発明の実施の形態を説明する。ここでは製品生成装置の例として印刷装置を説明する。
図１（ａ）（ｂ）は印刷装置１の外観例を示している。この印刷装置１は、写真店、コンビニエンスストアなどの店頭や、テーマパーク、観光地その他の商業施設などに設置され一般ユーザー（顧客）が任意に使用できるプリント注文端末として機能する装置を想定している。
【００１１】
印刷装置１の筐体２の天面には、広告表示部６が配置されている。広告表示部６には、例えばＬＥＤ（Light Emitting Diode）掲示板が使用される。
筐体２の正面上部には、表示入力部３が配置されている。表示入力部３として例えばタッチパネル式の表示装置が使用される。この表示入力部３では操作メニュー、操作ガイド表示、印刷する画像などの表示が行われる。またユーザーは、表示された操作手順に従って操作を行う。操作入力はタッチパネル上の任意の領域に触れることで行われる。
なお、タッチパネルではなく、操作部として操作キーを配置したキーボードやマウスなどが設けられても良い。
【００１２】
筐体２の中央部にはメモリーカードを装填できるメモリーカードスロット４が設けられている。メモリカードは半導体メモリを内蔵したカード状の記録媒体であり、異なる規格のメモリカードとして複数種類のものが存在する。これらに対応するため、種類に応じた複数のメモリカードスロット４が併設されている。
また筐体２の下部には仕上がったプリント写真を顧客が取り出せる写真取出口４が設けられている。
【００１３】
図１（ａ）のように筐体２の正面下部には、入金装置部７が配置されている。入金装置部７は、コイン投入口７ａと、コイン返却口７ｂとを備える。顧客は入金装置部７により、注文するプリントに応じた代金を支払うことになる。
なお入金装置部７としては、クレジットカード決済装置、プリペイドカード装置、電子マネー決済装置などを用いても良い
一方、図１（ｂ）は、入金装置部７が設けられていない例であり、これは顧客が店員に対して代金支払いを行う場合や、無料の印刷サービスを提供する場合の例となる。
【００１４】
図２に印刷装置１の内部構成例を示す。
印刷装置１は、制御部１１と、表示入力部３、広告表示部６、音声出力部８、入金装置部７、メモリカードインターフェース部１０、印刷部９を有する。
【００１５】
制御部１１は、画像データの受付から印刷の実行までの動作を制御する。この制御には、ユーザーに対する各種確認画面の表示も含まれる。制御部１１は、ＣＰＵ（Central Processing Unit ）１２、記憶部１３を主要な構成要素とする。
ＣＰＵ１２は印刷装置１の動作制御のための演算処理や各部への制御信号の供給を行う。ＣＰＵ１２は、後述する動作を実現するために、動作プログラムや操作入力に応じて各部を制御する。
またＣＰＵ１２ではソフトウエアによる計時処理として、常に現在の日時（年月日時分秒）を計数している。なお、時計部をハードウエアにより設けても良い。
【００１６】
記憶部１３は、ＣＰＵ１２において実行されるプログラムコードを格納したり、実行中の作業データを一時保管するために使用されたり、画像データを格納する記憶装置である。この図の場合、記憶部１３は、揮発メモリ、不揮発性メモリの双方を含むものとして示している。例えばプログラムを格納するＲＯＭ（Read Only Memory）、演算ワーク領域や各種一時記憶のためのＲＡＭ（Random Access Memory）、ＥＥＰ−ＲＯＭ（Electrically Erasable and Programmable Read Only Memory）等の不揮発性メモリを含む。
さらにハードディスク装置も記憶部１３に含むものとして示している。ハードディスク装置は、例えばメモリカード９０から取り込んだ画像データの保存に用いられる。
【００１７】
表示入力部３は、ユーザーに対する指示や操作を促す各種画面や印刷する画像を表示する表示デバイスと、タッチパネルに対する操作をＣＰＵ１２に通知する入力デバイスとで構成される。ＣＰＵ１２は、表示入力部３における表示動作制御し、後述するような各種の表示動作を実行させるとともに、表示入力部３のタッチパネルにより入力されるユーザー操作を受け付ける処理を行う。
【００１８】
広告表示部６は、ＣＰＵ１２の制御に基づいて、例えば予め定めたパターンに従ってＬＥＤの点灯と消灯を実行し、所定の広告情報を表示する。
音声出力部８は、ユーザーに対する指示、操作、注意喚起等のためのメッセージ音声や電子音を出力するオーディオシステムであり、音声信号発生部、オーディオ回路やスピーカーにより構成される。ＣＰＵ１２は所定のタイミングで音声出力部８に所定の音声出力を実行させるように制御する。
【００１９】
入金装置部７は、ユーザーのコイン投入による代金処理を行う装置部であり、コイン投入口７ａに投入されたコインの判別装置部、投入金額や釣り銭の計算処理部、コイン格納部、釣り銭や返却金をコイン返却口７ｂに排出する返金処理部などを有する。ユーザーに代金を求める場合、入金装置部７は投入金額をＣＰＵ１２に通知し、ＣＰＵ１２は入金装置部７において適正な代金が投入されたか否かを確認する。
なお、図１（ｂ）の印刷装置１の場合、このような入金装置部７は設けられない。
【００２０】
メモリカードインターフェース部１０は、メモリカードスロット４に装填されたメモリカード９０からのデータ転送を行うことで画像データを取得する画像取得部である。ＣＰＵ１２はメモリカードインターフェース部１０を介してメモリカード９０からの画像データの読出を行うことでユーザーが持ち込んだメモリカード９０から画像データを取得する。ＣＰＵ１２はメモリカード９０から読み出した画像データは、例えば記憶部１３におけるハードディスク装置に記憶させる。
【００２１】
印刷部９は画像データを印刷用紙に印刷する１又は複数台の印刷デバイスで構成される。この例の場合、第１プリンタ９ａ、第２プリンタ９ｂとして２台の印刷デバイスを有する構成を示している。複数の印刷デバイスを配備するのは、要求される品質に応じて異なる印刷方式のプリンタを必要とする場合や、多様な印刷用紙サイズに対応できるようにする場合、さらには、複数の印刷デバイスを並列利用して印刷時間を短縮したい場合、などの事情による。
ＣＰＵ１２は印刷部９の第１プリンタ９ａ、第２プリンタ９ｂによる印刷実行の制御を行う。例えば第１，第２プリンタが、印刷する用紙サイズの違いに対応するものとされる場合は、ＣＰＵ１２はユーザーが指定した印刷サイズに従って、いずれかの一方を選択して印刷を実行させる。
印刷部９で印刷されたプリント画像は、ユーザーに提供する製品として写真取出口４に送られる。
【００２２】
本例の印刷装置１は以上のように構成される。
なお、本発明請求項における各部は、この印刷装置１において次の装置部に相当する。
画像取得部：メモリカードスロット４、メモリカードインターフェース部１０
製品生成部：印刷部９
操作入力部：表示入力部３
制御部：制御部１１
入金処理部：入金装置部７
表示部：表示入力部３
【００２３】
この印刷装置１が店頭などに配置されており、顧客であるユーザーは自分のデジタルスチルカメラなどで撮像した画像データを、この印刷装置１を使用してプリントすることができる。
顧客は最初に、持参したメモリーカード９０をメモリカードスロット４に挿入し、ディスプレイに表示された操作手順に従って注文に最低限必要な情報を入力する。本例の印刷装置１の場合、この入力の際に、受け取り方式指定操作として即時受け取りと、後の時点での受け取りを選択することができる。
ユーザーが即時受け取りを指定した場合、印刷装置１は、メモリカード９０から読み込んだ画像の全部又は一部について、ユーザーが指定した枚数やサイズ等に基づく印刷を即座に実行する。この場合、ユーザーはその場で待っていることで、印刷された写真画像を受け取ることができる。
一方、ユーザーが後の時点での受け取りを指定した場合、印刷装置１ではその時点では印刷を実行せず、今回のユーザー操作に基づく設定内容や受け取り時間を含む製品生成処理情報をプリント待ちリストに登録し、後の時点で自動的に、又は店員等の操作に応じて印刷を実行することになる。その場合、ユーザーは指定した時間に再度、訪れることで、製品、即ち印刷された写真画像を受け取ることができる。
【００２４】
これらの動作を、図３以降で詳細に説明する。
図３は、図１（ａ）の印刷装置１を用いて顧客であるユーザーが操作を行い、印刷装置１に所望のプリントを実行させる場合における、印刷装置１の制御部１１の制御に基づく処理を示している。
図３のステップＦ１０１〜Ｆ１０５は、制御部１１がユーザー操作に応じて実行する処理である。
【００２５】
ステップＦ１０１では、ユーザーのメモリカード９０の挿入に関する処理を行う。例えば制御部１１は、通常時は表示入力部３に、プリントサービスのタイトル画像などを表示しており、ユーザーが、この画面を見ることで、当該印刷装置１がプリントサービス用の装置であることを認識できるようにしている。そしてユーザーが使用を開始するために画面に触れたこと（タッチ操作）を検出したら、制御部１１は、表示入力部３に例えば図５（ａ）のような画面を表示させる。
この図５（ａ）の画面は、ユーザーが持参したメモリカード９０の種類を選択させる画面であり、メモリカード選択画像３１として、複数種類のメモリカード９０を表示させる。また、この図５（ａ）の画面や、以降説明する各画面では、表示を前の画面を戻すための操作アイコンとして戻りボタン３２も表示させており、制御部１１は、ユーザーが戻りボタン３２に触れる操作を行った場合は、前の画面に戻すようにする。
図５（ａ）のような画面に対して、ユーザーは持参したメモリカード９０の種類に該当するメモリカード選択画像３１に触れる操作を行い、制御部１１は、その選択操作を検知することで、メモリカード９０の種類を認識する。
そして制御部１１は、ユーザーの選択操作を検知したら、メモリカード９０を、その種類に対応するメモリカードスロット４に挿入するようにメッセージ表示を行う。
【００２６】
メモリカード９０がメモリカードスロット４に装填されたら、制御部１１はステップＦ１０２で、装填されたメモリカード９０からの画像データの読込処理を行う。即ちＣＰＵ１２はメモリカードインターフェース部１０を介してメモリカード９０に記憶されている画像データを読み込み、画像データを記憶部１３としての例えばハードディスク装置に格納する。
なお本例では、ユーザーがメモリカード９０により画像データを持参するものとしているが、光ディスク、フレキシブルディスクなどで画像データを持ち込み、これを印刷装置１が読み込むようにしたり、或いは携帯電話器、ＰＤＡ（Personal Digital Assistants）等からのデータ通信により画像データを印刷装置１に送信することなども可能である。またＩｒＤＡ（Infrared Data Association）やブルートゥース（Bluetooth）などの規格の無線通信で送信することも可能である。
【００２７】
画像データの読込処理が完了したら、次にステップＦ１０３の画像選択処理を行う。制御部１１は、例えば図５（ｂ）に示すように、表示入力部３において読み込んだ画像データの一覧表示を実行させる。例えば読みこんだ各画像データのサムネイル画像を一覧表示する。図５（ｂ）の画面では、各画像データについてのサムネイル画像３３や、操作アイコンとして、前の画面に戻る戻りボタン３２、前のフォルダに戻る戻りボタン３４、ヘルプボタン３５、前後へのページ送りボタン３６，３７、全選択ボタン３８、選択完了ボタン３９などを表示させる。制御部１１は、各種アイコン３２，３４，３５，３６，３７，３８，３９に対してユーザーがタッチ操作を行うことに応じて、画面戻し、ガイド表示、ページ送り／戻し、全選択、選択完了などの処理を行う。
ユーザーは、各種操作アイコン３２，３４，３５，３６，３７，３８，３９やサムネイル画像３３に対するタッチ操作により、プリントしたい画像の選択や、各画像についての設定を行うことができる。
【００２８】
例えばユーザーが或るサムネイル画像３３にタッチした場合、制御部１１はその画像についての設定画面として例えば図６の画面を表示入力部３に表示させる。
この設定画面では、ユーザーが選択した画像の拡大表示４０と、料金表示４１、枚数設定ボタン４２、回転設定ボタン４３、サイズ調整ボタン４４、設定終了ボタン４５、及び戻りボタン３２，ヘルプボタン３５が表示される。
ユーザーは、枚数設定ボタン４２、回転設定ボタン４３、サイズ調整ボタン４４を用いて、選択した画像に関するプリント枚数や画像回転、サイズ調整を行うことができる。
ユーザーが設定終了ボタン４５にタッチしたら、制御部１１は、それまでのユーザー操作による設定を確定させる。つまり選択された画像についての設定として確定させ、画面を図５（ｂ）の一覧表示に戻す。
ユーザーは、プリントしたい画像を、それぞれ図５（ｂ）の一覧表示されたサムネイル画像３３で選択するとともに、図６のような設定画面でプリント枚数などを決めていき、制御部１１は、各画像についての設定を確定させる。
このようにステップＦ１０３の処理としては、制御部１１はプリントする画像の選択のための表示や、選択画像の設定のための表示を行うと共に、ユーザー操作を受け付けて、選択画像やその設定を決めていく。そして図５（ｂ）の画面上で選択完了ボタン３９がタッチされた時点で、制御部１１はユーザーの選択及び設定操作完了と判断し、プリントすべき画像と、プリントする画像についての枚数、回転、サイズ等の設定を確定させることになる。
【００２９】
次に制御部１１はステップＦ１０４で、受け取り時間選択処理を行う。
例えば図７（ａ）のように、表示入力部３に受け取り方法を選択させる画面を表示させる。ここでは受け取り選択ボタン５１，５２により、この場で受け取るか（即時受け取り）、明日受け取るか（後の時点の受け取り）をユーザーが選択できるようにする。
なお、受け取り方式の選択は、即時受け取りと後の時点での受け取りとを選択できるようにするものであり、その選択のための表示態様や選択方式は多様に考えられる。
図７（ａ）は、即時受け取りか、明日の受け取りを選択できるようにする例であるが、受取時間を「明日」などに限定せずに、ユーザーが指定できるようにしてもよい。
例えば図７（ｂ）のように、受け取り選択ボタン５１，５２として、この場で受け取るか、後の時点で受け取るかをユーザーが選択できるようにする。そして受け取り選択ボタン５３により後の時点での受け取りが選択された場合、制御部１１は図８（ａ）のように時間指定画面を表示させ、受け取り時間指定ボタン５４により、例えば１時間後、３時間後、６時間後、明日、明後日などをユーザーが指定できるようにしても良い。
さらには、図７（ｂ）→図８（ａ）というような画面遷移を行わずに、図８（ｂ）のような選択画面を表示させてもよい。即ち即時指定ボタン５５と時間指定ボタン５４を同時に表示させる。ユーザーは即時受け取りを希望する場合は即時指定ボタン５５にタッチし、後の時点での受け取りを希望する場合は、時間指定ボタン５４のうちのいずれか希望の時間をタッチするようにする。
【００３０】
なお、図８（ａ）或いは図８（ｂ）のように、時間指定ボタン５４として、「１時間後」「３時間後」など、現在時刻から相対的な時間として受取時間を選択させるようにする場合、図示の通り、その相対時間に該当する日時を表示させると良い。例えば現在時刻が３月３１日の１３時であったとしたら、「１時間後」の時間指定ボタン５４には受け取り日時として「１４時」と表示し、また「明日」の時間指定ボタン５４には受け取り日時として「４月１日」という表示を行う。
また、受け取り日時をより多様に指定させるために、図８のようなボタン形式ではなく、ユーザーが、実際に日時を数値で入力できるような画面表示を行っても良い。
【００３１】
以上のような画面表示とそれに対するユーザー操作により、制御部１１はユーザーが希望する受け取り日時を判別する。この時点で、ユーザーの注文内容が確定することになる。即ち、プリントすべき画像（読み込んだ画像データのファイル名／フォルダ名など、画像データを特定できる情報）と、プリントする画像についての枚数、回転、サイズ等の設定と、受け取り時間が注文内容として確定され、制御部１１はこれを１つの印刷ジョブとしての印刷処理情報とする。この印刷処理情報は、プリント画像という製品を生成するための製品生成処理情報である。
【００３２】
ステップＦ１０４までの処理でユーザーの注文内容が確定したら、制御部１１はステップＦ１０５で料金投入処理を行う。例えば注文内容における印刷枚数等に応じた料金を表示入力部３に表示し、ユーザーに料金投入を促す。
ユーザーがコイン投入口７ａから必要な料金を投入すると、入金装置部７が入金処理を行い、投入料金が制御部１１に通知される。制御部１１は、必要な料金の投入を確認した時点で、処理をステップＦ１０５からステップＦ１０６に進める。
【００３３】
制御部１１はステップＦ１０６では、今回受け付けた注文について、上記のように選択された受け取り方式を確認し、処理を分岐する。即ちステップＦ１０４の際に、即時受け取りが選択されていた場合は、処理をステップＦ１０７に進め、直ぐに注文に応じたプリントの実行制御を行う。この場合、印刷部９で上記の印刷処理情報に基づく印刷、即ちユーザーが選択した各画像について設定した枚数やサイズでの印刷が即時実行されることになる。
ユーザーは、その場で待っていることで、印刷されたプリント写真を受け取ることができる。
【００３４】
一方、ステップＦ１０４の際に、後の時点での受け取りが選択されていた場合は、制御部１１は処理をステップＦ１０６からＦ１０８に進め、注文に応じたプリントはその時点では実行せず、今回の注文としての印刷処理情報、即ちプリントすべき画像を示すファイル名／フォルダ名と、プリントする各画像についての枚数、回転、サイズ等の設定と、受け取り時間について、プリント待ちリストに登録する。
プリント待ちリストとは、ステップＦ１０３，Ｆ１０４で決定された印刷処理情報を記憶しておくリストであり、後の時点で印刷することを予約する情報である。プリント待ちリストには、例えば図９のように、識別番号（ＩＤ）とともに、受け取り指定日時や注文内容（選択された画像とそれらの印刷枚数等の設定）を登録する。このプリント待ちリストとしての記憶領域が記憶部１３に用意され、ＣＰＵ１２は、後の時点での受け取りが指定された注文が入る毎に、その印刷処理情報をプリント待ちリストに追加登録していく。
ステップＦ１０８で印刷処理情報をプリント待ちリストに登録する際には、ＣＰＵ１２は注文番号としてのＩＤを付加する。また受け取り指定日時としては、例えば相対時間や、「明日」などと指定された日時についての実際の日時（例えば年月日時分）を記憶しておく。
このようにプリント待ちリストに印刷処理情報を登録して、その時点の処理を終える。この場合、顧客はその時点で印刷装置１から離れて、後の時点でプリント画像を受け取りにくればよい。
【００３５】
なお、図１（ｂ）に示したように入金装置部が設けられない印刷装置１の場合は、制御部１１は図４の処理を行うようにする。図４において図３と同一の処理は同一のステップ番号を付し、詳細な説明を省略する。
制御部１１は、ステップＦ１０１，Ｆ１０２，Ｆ１０３については図３の場合と同様に顧客ユーザーの操作に応じて、印刷する画像の選択や設定までの処理を行う。
図１（ｂ）のような印刷装置１は、例えば店員が顧客から料金を受け取る店舗に配置されるものである。ステップＦ１０３までの処理で、注文内容として、プリントする画像や枚数が決定されたら、ステップＦ１０４，Ｆ１０５Ａとしての処理に係る操作は店員が行うようにする。ステップＦ１０４では、制御部１１は受け取り方式の選択のための画面表示を行う。店員は、顧客に対して受け取りの希望を尋ね、それに応じて即時受け取りか、後の時点での受け取りかを指定する入力（更には後の時点での受け取りの場合は受け取り日時を指定する入力を行う場合もある）を行う。制御部１１は、この店員の入力によって、受け取り方式を確定させる。なお、もちろん店員ではなく顧客が受け取りに関する入力操作をしてもよい。
【００３６】
ここまでの処理で注文内容が確定したら、店員は顧客に対して、その注文に応じた料金を受け取る。そして注文完了による処理の実行の操作を行う。
この場合、店員の操作として、注文完了により処理開始を指示するための操作が可能とされている。制御部１１はステップＦ１０５Ａとして、例えば店員のパスワード入力など特定の操作に応じて、処理開始の操作を受け付ける。即ち顧客ユーザーが勝手に操作できないような操作方式で、注文完了により処理開始の操作を受け付けるようにする。そして店員の操作によりステップＦ１０６に進み、上記図３の場合と同様にステップＦ１０７のプリント実行か、ステップＦ１０８のプリント待ちリストへの印刷処理情報の登録を行う。
【００３７】
即ち図３の処理は、ユーザーが代金投入することを条件として、実際の印刷（或いはプリント待ちリストへの登録＝後の印刷の予約）を行うことに対し、図４の処理は、店員が代金を受け取ったうえで所定の操作を行うことで、実際の印刷（或いはプリント待ちリストへの登録＝後の印刷の予約）を行うようにするものである。
なお、図１（ｂ）のような印刷装置１を無料で使用できるようにする場合は、図４のステップＦ１０５Ａの際の操作においてパスワード等を必要としないようにし、誰でもできるようにすればよい。
【００３８】
プリント待ちリストに登録された印刷ジョブとしての各印刷処理情報に基づく実際の印刷動作は、自動的に、もしくは店員等の操作に応じて実行される。
印刷装置１がプリント待ちリストに登録された印刷処理情報に基づく実際の印刷を自動的に行うための処理を図１０に示す。
【００３９】
図１０の処理は、顧客ユーザーが印刷装置１を使用していないときに行われる。即ち顧客が使用していないときに、制御部１１は処理をステップＦ２０１からＦ２０２に進める。
ステップＦ２０２では、制御部１１はプリント待ちリストを検索し、最初の注文としての印刷ジョブ、例えばプリント待ちリストとしての多数の印刷処理情報のうち、その時点で先頭に登録されている印刷処理情報を抽出する。そしてステップＦ２０３で、最初の印刷処理情報における受け取り指定日時を変数PrintTimeに代入する。さらにステップＦ２０４で、最初の印刷処理情報におけるＩＤ番号を変数PrintIDに代入する。
例えば図９のようにプリント待ちリストの登録が行われている場合、リストの先頭の印刷処理情報として、ＩＤ００１の印刷処理情報が抽出され、その受け取り指定日時「２００６年４月１日１２時３０分」が変数PrintTimeに、またＩＤ番号「ＩＤ００１」が変数PrintIDに代入されることになる。
【００４０】
ステップＦ２０５では他にプリント待ちの注文があるか否かを確認する。つまりプリント待ちリストに他の印刷処理情報が登録されているかの確認である。他の印刷処理情報が登録されている場合は、ステップＦ２０６に進み、リスト上で次の注文としての印刷処理情報における受け取り指定日時を変数NextTimeに代入し、またステップＦ２０７で、そのＩＤ番号を変数NextIDに代入する。プリント待ちリストが図９の状態の場合、次の印刷処理情報として、ＩＤ００２の印刷処理情報が抽出され、その受け取り指定日時「２００６年４月２日１０時００分」が変数NextTimeに、またＩＤ番号「ＩＤ００２」が変数NextIDに代入されることになる。
【００４１】
ステップＦ２０８では、変数PrintTimeと変数NextTimeを比較する。変数PrintTimeの日時の方が変数NextTimeの日時よりも先であれば、ステップＦ２０５に戻る。
一方、変数PrintTimeの日時の方が変数NextTimeの日時よりも後であれば、ステップＦ２０９に進み、変数NextTimeの日時を変数PrintTimeに代入する。即ち変数PrintTimeを更新する。またステップＦ２１０で、変数NextIDの値を変数PrintIDに代入する。即ち変数PrintIDを更新する。そしてステップＦ２０５に戻る。
【００４２】
ステップＦ２０５では、再び、他にプリント待ちの注文があるか否かが確認され他の印刷処理情報が登録されている場合は、ステップＦ２０６、Ｆ２０７に進む。プリント待ちリストが図９の状態の場合、次の印刷処理情報として、ＩＤ００３の印刷処理情報が抽出され、その受け取り指定日時「２００６年４月１日１０時００分」が変数NextTimeに、またＩＤ番号「ＩＤ００３」が変数NextIDに代入されることになる。そしてステップＦ２０８〜Ｆ２１０の処理が行われる。
【００４３】
このステップＦ２０５〜Ｆ２１０の処理により、プリント待ちリストの中で、最も早い日時が指定されている印刷処理情報が選ばれることになる。即ち、ステップＦ２０６〜Ｆ２１０の処理が繰り返され、受け取り日時の比較結果に応じて変数PrintTimeと変数PrintIDが更新または維持されていくことで、ステップＦ２０５で、他にプリント待ちの注文が無いとされた時点で、変数PrintIDでしめされるＩＤの印刷処理情報が、最も早く受取時間が到達する印刷ジョブであると判断できることになる。
【００４４】
最も早く受取時間が到達する印刷ジョブとしての印刷処理情報が判別されたら、ステップＦ２１１で、現在の日時と、変数PrintTimeで示されている日時、つまり当該印刷処理情報の受け取り日時を比較する。
例えば現在の日時が、その印刷処理情報の受け取り日時を過ぎていたら、制御部１１はステップＦ２１１からＦ２１２に処理を進め、その印刷処理情報に基づく印刷を、印刷部９に実行させるように制御する。
このようにプリント待ちリストから選択されて自動的に印刷が行われることで生成されるプリント画像は、例えば店員によって保管され、顧客が来店したときに、受け渡される。
一方、現在の日時が、その印刷処理情報の受け取り日時に達していなければ、印刷を行わずに処理を終える。
【００４５】
なお、ステップＦ２１１の比較処理の例は多様に考えられる。例えば現在日時が、印刷処理情報の受け取り日時を越えた時点で印刷を行うと、顧客の受け取りに間に合わないことも考えられるので、例えば変数PrintTimeを、現在の日時の３０分後、或いは１時間後などと比較してもよい。これは受け取り日時の３０分前、或いは１時間前などに印刷を実行するようにするものである。もちろん、受け取り日時よりさらに早い時点で印刷が行われるようにしてもよいし、例えばステップＦ２１１の処理を行わず、プリント待ちリストから受け取り日時が最も早いものとして選択された印刷処理情報について、逐次印刷を実行していくようにしてもよい。
【００４６】
また、図１０の処理で或る印刷処理情報に基づく印刷が行われたら、制御部１１は、その印刷処理情報をプリント待ちリストから削除する。なお、印刷実行済リストを記憶する領域を記憶部１３に用意しておき、プリント待ちリストから削除した印刷処理情報については、その印刷実行済リストに登録しておき、後に確認できるようにしたり、プリント待ちリストに復帰させることができるようにすることが好ましい。
【００４７】
次に、プリント待ちリストに登録された印刷ジョブとしての各印刷処理情報に基づく実際の印刷動作を店員等の操作に応じて実行する場合について図１１，図１２で説明する。
印刷装置１では、店員等の特定の人のみが操作できるような操作モードを用意する。例えばパスワード入力や、一般の顧客ユーザーには示されない特殊な操作手順などである。そしてこのような特定の操作として、プリント待ちリストに登録されている印刷処理情報についての印刷を行うための操作が行われたら、制御部１１は図１１の処理をステップＦ３０１からＦ３０２に進める。
ステップＦ３０２では、制御部１１ではプリント待ちリストに登録されている各印刷処理情報を、その受け取り日時順にソートする処理を行う。そしてステップＦ３０３で、プリント待ちリストの内容を、ソート結果としての受け取り日時順に表示入力部３に表示させる。
例えば図１２に表示例を示している。この表示画面では、リスト表示６０として、例えば図９のようなプリント待ちリストの内容の印刷処理情報が、受け取り日時順に示されている。また、各印刷処理情報を選択するためのカーソル６１や、表示されるリスト内容を進めたり戻したりする前ボタン６２，次ボタン６３が表示される。さらに実行ボタン６４，削除ボタン６５、戻りボタン３２などが表示される。
店員は、このような表示を見ながら、印刷を実行させたり、不要になった印刷処理情報を削除する操作を行うことができる。
店員が、前ボタン６２，次ボタン６３にタッチした場合は、制御部１１は、それに応じて表示されるリスト内容を前、又は後ろに送るようにする。またリスト上の印刷処理情報をタッチすることで、制御部１１はその印刷処理情報にカーソル６１を位置させ、選択中の印刷処理情報を明示するようにする。
制御部１１は、これらの操作に応じた表示処理をステップＦ３０３で行う。
【００４８】
また制御部１１は、店員の操作として実行ボタン６４、削除ボタン６５、戻りボタン３２の操作を、ステップＦ３０４，Ｆ３０５，Ｆ３０６で監視する。
店員が、或る印刷処理情報がカーソル６１により選択中とされている状態で実行ボタン６４にタッチした場合、制御部１１は処理をステップＦ３０４からＦ３０７に進め、その選択されている印刷処理情報についての印刷の実行制御を行う。即ち選択された印刷処理情報に基づく印刷を印刷部９において実行させる。
このように印刷が行われることで生成されるプリント画像は、店員によって保管され、後に顧客が来店したときに、受け渡される。
店員は、例えば印刷装置１があまり使用されない閑散時間に、このように印刷ジョブを選択して印刷待ちの印刷処理情報に基づく印刷を任意に実行させることができる。
【００４９】
また店員が、或る印刷処理情報がカーソル６１により選択中とされている状態で削除ボタン６５にタッチした場合、制御部１１は処理をステップＦ３０５からＦ３０８に進め、その選択されている印刷処理情報をプリント待ちリストから削除する処理を行う。例えば顧客が注文をキャンセルするように依頼してきた場合や、上記の実行操作により印刷を完了した印刷処理情報について、プリント待ちリストから削除することができる。
なお、ステップＦ３０７で印刷を行った際には、制御部１１は、店員の操作がなくとも、その印刷完了時点で、印刷処理情報をプリント待ちリストから削除するようにしてもよい。
また、キャンセル依頼や、印刷完了により印刷処理情報をプリント待ちリストから削除する場合、その印刷処理情報を、印刷実行済リストに登録しておき、後に確認したり、或いはプリント待ちリストに復帰させることができるようにすることが好ましい。
店員が戻りボタン３２の操作を行った場合は、制御部１１は処理をステップＦ３０６からＦ３０９に進め、画面を前の画面に戻す。例えば図１２のようなプリント待ちリストの内容表示を終了させ、通常の画面に戻す。
【００５０】
以上、実施の形態としての印刷装置１の構成及び動作を説明してきたが、このような印刷装置１によれば、顧客は店頭で印刷装置１に対して画像プリントの注文を行う際に、印刷出力された写真を、待っても良いからその場で受け取りたいか、後の時点で受け取るかを選択できることになる。
従って例えば大量の枚数の印刷を注文する人は、後の時点で印刷を行うように指定し、後に受け取るようにしておけば、その場で印刷終了まで長時間待つ必要はなくなる。つまり待つことを嫌う人をその場で待たせない装置とすることができる。
また例えば図１０或いは図１１の処理により、プリント待ちリストに登録された印刷処理情報に基づく印刷が自動的に、或いは店員の操作に応じて実行されることは、印刷装置１が使用されていない時間帯に印刷が行われるものとなり、つまりは印刷装置１を効率的に稼働できることになる。
また図１１の処理として、店員の操作に応じてプリント待ちリストに登録されている印刷処理情報の印刷を行う場合、印刷処理情報（印刷ジョブ）が受け取り日時順にソートされて表示されることで、店員にとって、受取時間が早いものから印刷させるという作業を容易化することができる。
なお、印刷装置１の構成や、処理動作手順などは、上記例に限定されず、多様な変形例が考えられることはいうまでもない。
【００５１】
ところで、上記実施の形態では印刷装置１として本発明の製品生成装置の例を説明してきたが、これ以外に多様な製品生成装置として本発明を適用できる。
図１３は他の実施の形態としてのディスク記録装置７０を示している。このディスク記録装置７０は、ユーザーがメモリカード９０で持参した画像データを、ＣＤ方式、ＤＶＤ方式などの光ディスクとして、ライトワンス型ディスク、リライタブル型ディスクなどに記録し、その光ディスクを顧客に提供する装置である。
図１３に示す装置構成は、ほぼ図２と同様になり、同一部分には同一符号を付して説明を省略する。即ちこの場合、製品生成部として、図２の印刷部９に代わってディスク記録部１５が設けられるものである。ディスク記録部１５は、多数の未記録の光ディスクをストックし、制御部１１の指示に応じて、指定された画像データを光ディスクに記録する動作を行う。
【００５２】
制御部１１は、例えば顧客操作に基づいて図１４の処理を行えばよい。図１４においてステップＦ４０１〜Ｆ４０６は図３のステップＦ１０１〜Ｆ１０６と同様である。即ちユーザーが持参したメモリカード９０をメモリカードスロット４に装填したら、制御部１１はメモリカード９０から画像データを読み込み、その後記録する画像データの選択や設定（例えば圧縮方式、ビットレートの選択など）を、ユーザー操作に基づいて行う。
そしてステップＦ４０４では、ユーザーの指定により受け取り日時を確認し、料金投入に応じてステップＦ４０５からＦ４０６に進む。
ユーザーが即時受け取りを希望した場合は、制御部１１はステップＦ４０７で、選択された画像データを光ディスクに書き込む処理を、ディスク記録部１５に実行させる。この場合、ユーザーはその場で待っていることで、製品として生成された光ディスクを受け取ることができる。
一方、ユーザーが後の時点での受け取りを希望した場合は、制御部１１ステップＦ４０８に処理を進め、今回の書込に関する書込処理情報（製品生成処理情報）を書込待ちリストに登録する。
上記印刷装置１の例における印刷処理情報と同様に、書込処理情報は、選択された画像データを示すファイル名／フォルダ名や、各画像データの記録設定、及び受け取り日時の情報を含む。
書込待ちリストに登録された書込処理情報については、上記図１０もしくは図１１のような処理により、自動的に、或いは店員の操作に応じて、光ディスク書込が実行される。
【００５３】
このように光ディスクを製品として生成するディスク記録装置７０の場合も、印刷装置１と同様の効果を得ることができる。
【００５４】
本発明のプログラムは、印刷装置１やディスク記録装置７０としての製品生成装置において図３又は図１４のような処理を制御部１１に実行させるプログラムとして実現できる。
このようなプログラムは、コンピュータシステム等の情報処理装置における記録媒体としてのシステムＨＤＤや、ＣＰＵを有するマイクロコンピュータ内のＲＯＭ等に予め記録しておくことができる。
あるいはまた、プログラムは、フレキシブルディスク、ＣＤ−ＲＯＭ(Compact Disc Read Only Memory)、ＭＯ(Magnet optical)ディスク、ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウェアとして提供することができる。例えばＣＤ−ＲＯＭ、ＤＶＤ−ＲＯＭ等により提供されることで、コンピュータシステムにインストールできる。
またこのプログラムは、リムーバブル記録媒体からインストールする他、ダウンロードサイトから、ＬＡＮ(Local Area Network)、インターネットなどのネットワークを介してダウンロードすることもできる。
【図面の簡単な説明】
【００５５】
【図１】本発明の実施の形態の印刷装置の外観例の説明図である。
【図２】実施の形態の印刷装置のブロック図である。
【図３】実施の形態の印刷装置の処理のフローチャートである。
【図４】実施の形態の印刷装置の処理のフローチャートである。
【図５】実施の形態の画面表示例の説明図である。
【図６】実施の形態の画面表示例の説明図である。
【図７】実施の形態の受け取り選択のための画面表示例の説明図である。
【図８】実施の形態の受け取り選択のための画面表示例の説明図である。
【図９】実施の形態のプリント待ちリストの説明図である。
【図１０】実施の形態の自動印刷処理のフローチャートである。
【図１１】実施の形態の操作による印刷処理のフローチャートである。
【図１２】実施の形態の印刷処理情報のリスト表示例の説明図である。
【図１３】実施の形態のディスク記録装置のブロック図である。
【図１４】実施の形態のディスク記録装置の処理のフローチャートである。
【符号の説明】
【００５６】
１  印刷装置、３  表示入力部、４  メモリカードスロット、９  印刷部、１０  メモリカードインターフェース部、１１  制御部、１２  ＣＰＵ、１３  記憶部、１５  ディスク記録部、７０  ディスク記録装置、９０  メモリカード
【図１】
2007241815.tif 000003
【図２】
2007241815.tif 000004
【図３】
2007241815.tif 000005
【図４】
2007241815.tif 000006
【図５】
2007241815.tif 000007
【図６】
2007241815.tif 000008
【図７】
2007241815.tif 000009
【図８】
2007241815.tif 000010
【図９】
2007241815.tif 000011
【図１０】
2007241815.tif 000012
【図１１】
2007241815.tif 000013
【図１２】
2007241815.tif 000014
【図１３】
2007241815.tif 000015
【図１４】
2007241815.tif 000016